(57)【要約】【課題】液晶表示器などの表示器の点灯時に、駆動回路に所望の電圧が供給されるようにし、コントラストの低下を防止できる電源装置の提供【解決手段】定電圧回路１０は、昇圧兼降圧用の出力電圧ＶＣ２と、昇圧専用の出力電圧ＶＣ１Ｂとをそれぞれ生成して出力する。出力電圧ＶＣ１Ｂは、昇降圧回路２０により出力電圧ＶＣ２を使用して降圧される出力電圧ＶＣ１の電圧値よりも所定値だけ大きな電圧値に設定されている。昇降圧回路２０は、定電圧回路１０から出力される出力電圧ＶＣ２を使用して出力電圧ＶＣ１を生成する降圧動作を行うとともに、定電圧回路１０から出力されるＶＣ１B，ＶＣ２に基づいて出力電圧ＶＣ３、ＶＣ４、ＶＣ５をそれぞれ生成する昇圧動作を行う。【選択図】  図１
2006166581.tif 000002
【特許請求の範囲】
【請求項１】
表示器の駆動回路に使用される電源装置であって、
昇圧兼降圧用の第１電圧と、昇圧用の第２電圧とをそれぞれ生成する定電圧回路と、
前記定電圧回路で生成される前記第１電圧に基づいて所定の降圧電圧を生成するとともに、前記定電圧回路で生成される前記第１電圧および前記第２電圧に基づいて所定の昇圧電圧を生成する昇降圧回路とを備え、
前記定電圧回路で生成される第２電圧は、前記昇降圧回路で生成される降圧電圧よりも電圧値が所定値だけ大きくなるように設定し、
前記定電圧回路で生成される前記第１電圧と、前記昇降圧回路で生成される前記降圧電圧および前記昇圧電圧とをそれぞれ前記駆動回路に供給するようになっていることを特徴とする電源装置。
【請求項２】
表示器の駆動回路に使用される電源装置であって、
昇圧兼降圧用の第１電圧と、昇圧用の第２電圧とをそれぞれ生成する定電圧回路と、
前記定電圧回路で生成される前記第１電圧に基づいて所定の降圧電圧を生成し、前記定電圧回路で生成される前記第１電圧と前記第２電圧とを加算して第１昇圧電圧を生成し、前記定電圧回路で生成される前記第１電圧を２倍して第２昇圧電圧を生成し、かつ、前記生成された第２昇圧電圧と前記定電圧回路で生成される前記第２電圧とを加算して第３昇圧電圧を生成する昇降圧回路とを備え、
前記定電圧回路で生成される第２電圧は、前記昇降圧回路で生成される降圧電圧よりも電圧値が所定値だけ大きくなるように設定し、
前記定電圧回路で生成される前記第１電圧と、前記昇降圧回路で生成される前記降圧電圧および前記第１乃至第３の昇圧電圧とをそれぞれ前記駆動回路に供給するようになっていることを特徴とする電源装置。
【請求項３】
表示器の駆動回路に使用される電源装置であって、
第１電圧と、昇圧用の第２電圧と、昇圧用の第３電圧とをそれぞれ生成する定電圧回路と、
前記定電圧回路で生成される前記第２電圧および前記第３電圧に基づいて所定の昇圧電圧を生成する昇圧回路とを備え、
前記第３電圧は、前記第１電圧よりも電圧値が所定値だけ大きくなるように設定し、
前記定電圧回路で生成される前記第１電圧および前記第２電圧と、前記昇圧回路で生成される前記昇圧電圧とをそれぞれ前記駆動回路に供給するようになっていることを特徴とする電源装置。
【請求項４】
表示器の駆動回路に使用される電源装置であって、
第１電圧と、昇圧用の第２電圧と、昇圧用の第３電圧とをそれぞれ生成する定電圧回路と、
前記定電圧回路で生成される前記第２電圧と前記第３電圧とを加算して第１昇圧電圧を生成し、前記定電圧回路で生成される前記第２電圧を２倍して第２昇圧電圧を生成し、かつ、前記生成された第２昇圧電圧と前記定電圧回路で生成される前記第３電圧とを加算して第３昇圧電圧を生成する昇圧回路とを備え、
前記第３電圧は、前記第１電圧よりも電圧値が所定値だけ大きくなるように設定し、
前記定電圧回路で生成される前記第１電圧および前記第２電圧と、前記昇圧回路で生成される前記第１乃至第３の昇圧電圧とを前記駆動回路に供給するようになっていることを特徴とする電源装置。
【発明の詳細な説明】
【技術分野】
【０００１】
本発明は、液晶表示器などの表示器に使用され、定電圧回路が生成する電圧に基づいてて複数の出力電圧を生成して出力する電源装置に関するものである。
【背景技術】
【０００２】
従来、この種の電源装置としては、図８に示すように、出力電圧ＶＣ２を生成する定電圧回路１と、この定電圧回路１が生成した出力電圧ＶＣ２を使用して降圧した出力電圧ＶＣ１と、この降圧した出力電圧ＶＣ１および定電圧回路１で生成した出力電圧ＶＣ２を使用して昇圧させた出力電圧ＶＣ３〜ＶＣ５とをそれぞれ生成する昇降圧回路２とを備えている。そして、定電圧回路１からの出力電圧ＶＣ２と、昇降圧回路２からの出力電圧ＶＣ１および出力電圧ＶＣ３〜ＶＣ５とをそれぞれ液晶駆動回路３に供給するようになっている（例えば、特許文献１参照）。
【０００３】
昇降圧回路２では、出力電圧ＶＣ２を降圧させて出力電圧ＶＣ１を生成し、その降圧動作は次の（１）式のようになる。
ＶＣ１＝（１／２）×ＶＣ２・・・（１）
【０００４】
また、昇降圧回路２では、出力電圧ＶＣ３は出力電圧ＶＣ２とその降圧された出力電圧ＶＣ１とを加算することにより生成し、出力電圧ＶＣ４は出力電圧ＶＣ２を２倍することにより生成し、出力電圧ＶＣ５は出力電圧ＶＣ２を２倍するとともにその降圧された出力電圧ＶＣ１を加算することにより生成している。これらの昇圧動作は、次の（２）〜（４）式のようになる。
ＶＣ３＝ＶＣ２＋ＶＣ１        ・・・（２）
ＶＣ４＝２×ＶＣ２            ・・・（３）
ＶＣ５＝（２×ＶＣ２）＋ＶＣ１・・・（４）
【０００５】
ところが、この従来の電源装置では、昇降圧回路２がコンデンサに電荷を充電してそれを転送する方式を採用するので、昇圧動作の際にロスが発生し、昇圧を必要とする出力電圧ＶＣ３，ＶＣ４，ＶＣ５は理論値よりも低くなってしまう。このため、液晶表示器の点灯時に、コントラストが低下するという不具合がある。
特に、この不具合は、液晶表示器のパネルサイズが大きな場合、またはパネル負荷が重い場合には顕著である。
【特許文献１】特許第２９７３２３１号公報
【発明の開示】
【発明が解決しようとする課題】
【０００６】
本発明の目的は、上記の点に鑑み、液晶表示器などの表示器の点灯時に、駆動回路に所望の電圧が供給されるようにし、コントラストの低下を防止できる電源装置を提供することにある。
【課題を解決するための手段】
【０００７】
上記の課題を解決し本発明の目的を達成するために、各発明は、以下のような構成からなる。
すなわち、第１の発明は、表示器の駆動回路に使用される電源装置であって、昇圧兼降圧用の第１電圧と、昇圧用の第２電圧とをそれぞれ生成する定電圧回路と、前記定電圧回路で生成される前記第１電圧に基づいて所定の降圧電圧を生成するとともに、前記定電圧回路で生成される前記第１電圧および前記第２電圧に基づいて所定の昇圧電圧を生成する昇降圧回路とを備え、前記定電圧回路で生成される第２電圧は、前記昇降圧回路で生成される降圧電圧よりも電圧値が所定値だけ大きくなるように設定し、前記定電圧回路で生成される前記第１電圧と、前記昇降圧回路で生成される前記降圧電圧および前記昇圧電圧とをそれぞれ前記駆動回路に供給するようになっている。
【０００８】
第２の発明は、表示器の駆動回路に使用される電源装置であって、昇圧兼降圧用の第１電圧と、昇圧用の第２電圧とをそれぞれ生成する定電圧回路と、前記定電圧回路で生成される前記第１電圧に基づいて所定の降圧電圧を生成し、前記定電圧回路で生成される前記第１電圧と前記第２電圧とを加算して第１昇圧電圧を生成し、前記定電圧回路で生成される前記第１電圧を２倍して第２昇圧電圧を生成し、かつ、前記生成された第２昇圧電圧と前記定電圧回路で生成される前記第２電圧とを加算して第３昇圧電圧を生成する昇降圧回路とを備え、前記定電圧回路で生成される第２電圧は、前記昇降圧回路で生成される降圧電圧よりも電圧値が所定値だけ大きくなるように設定し、前記定電圧回路で生成される前記第１電圧と、前記昇降圧回路で生成される前記降圧電圧および前記第１乃至第３の昇圧電圧とをそれぞれ前記駆動回路に供給するようになっている。
【０００９】
第３の発明は、表示器の駆動回路に使用される電源装置であって、第１電圧と、昇圧用の第２電圧と、昇圧用の第３電圧とをそれぞれ生成する定電圧回路と、前記定電圧回路で生成される前記第２電圧および前記第３電圧に基づいて所定の昇圧電圧を生成する昇圧回路とを備え、前記第３電圧は、前記第１電圧よりも電圧値が所定値だけ大きくなるように設定し、前記定電圧回路で生成される前記第１電圧および前記第２電圧と、前記昇圧回路で生成される前記昇圧電圧とをそれぞれ前記駆動回路に供給するようになっている。
【００１０】
第４の発明は、表示器の駆動回路に使用される電源装置であって、第１電圧と、昇圧用の第２電圧と、昇圧用の第３電圧とをそれぞれ生成する定電圧回路と、前記定電圧回路で生成される前記第２電圧と前記第３電圧とを加算して第１昇圧電圧を生成し、前記定電圧回路で生成される前記第２電圧を２倍して第２昇圧電圧を生成し、かつ、前記生成された第２昇圧電圧と前記定電圧回路で生成される前記第３電圧とを加算して第３昇圧電圧を生成する昇圧回路とを備え、前記第３電圧は、前記第１電圧よりも電圧値が所定値だけ大きくなるように設定し、前記定電圧回路で生成される前記第１電圧および前記第２電圧と、前記昇圧回路で生成される前記第１乃至第３の昇圧電圧とを前記駆動回路に供給するようになっている。
【００１１】
以上のような構成からなる本発明によれば、液晶表示器などの表示器の点灯時に、駆動回路に所望の電圧が供給され、コントラストの低下を防止できる。
【発明を実施するための最良の形態】
【００１２】
以下、本発明の実施形態について、図面を参照して説明する。
（第１実施形態）
本発明の電源装置の第１実施形態の構成について、図１を参照して説明する。
この第１実施形態に係る電源装置は、液晶表示器に適用されるものであり、図１に示すように、定電圧回路１０と、昇降圧回路２０とを備え、液晶駆動回路３０を駆動するようになっている。
【００１３】
定電圧回路１０は、液晶駆動回路３０に供給されると同時に、昇降圧回路２０に供給されて昇圧兼降圧に使用される出力電圧ＶＣ２と、昇降圧回路２０に使用されて昇圧に使用される出力電圧ＶＣ１Ｂとをそれぞれ生成して出力する回路である。
ここで、出力電圧ＶＣ１Ｂは、後述のように昇降圧回路２０により出力電圧ＶＣ２を使用して降圧される出力電圧ＶＣ１の電圧値よりも所定値だけ大きな電圧値に設定されている。
【００１４】
昇降圧回路２０は、定電圧回路１０から出力される出力電圧ＶＣ２を使用して出力電圧ＶＣ１を生成する降圧動作を行うとともに、定電圧回路１０から出力されるＶＣ１B，ＶＣ２に基づいて出力電圧ＶＣ３、ＶＣ４、ＶＣ５をそれぞれ生成する昇圧動作を行う回路であり、コンデンサの充放電を利用することにより昇降圧動作を行う。
すなわち、昇降圧回路２０は、定電圧回路１０から出力される出力電圧ＶＣ２を降圧させて出力電圧ＶＣ１を生成し、その降圧動作は次の（５）式のようになる。
ＶＣ１＝（１／２）×ＶＣ２・・・（５）
【００１５】
また、昇降圧回路２０は、定電圧回路１０から出力される出力電圧ＶＣ２と出力電圧ＶＣ１Ｂとを加算することにより出力電圧ＶＣ３を生成し、出力電圧ＶＣ２を２倍することにより出力電圧ＶＣ４を生成し、出力電圧ＶＣ２を２倍するとともに出力電圧ＶＣ１Ｂを加算することにより出力電圧ＶＣ５を生成している。これらの昇圧動作は、次の（６）〜（８）式のようになる。
ＶＣ３＝ＶＣ２＋ＶＣ１Ｂ        ・・・（６）
ＶＣ４＝２×ＶＣ２              ・・・（７）
ＶＣ５＝（２×ＶＣ２）＋ＶＣ１Ｂ・・・（８）
【００１６】
液晶駆動回路３０は、図示しない液晶表示パネルに画像を表示させるための回路であり、定電圧回路１０からの出力電圧ＶＣ２と、昇降圧回路２０からの出力電圧ＶＣ１、ＶＣ３、ＶＣ４、ＶＣ５とがそれぞれ供給されるようになっている。
【００１７】
次に、図１に示す定電圧回路１０の具体的な回路の構成について、図２を参照して説明する。
この定電圧回路１０は、図２に示すように、昇圧兼降圧に使用する出力電圧ＶＣ２を生成する第１回路１０ａと、この第１回路１０ａの出力電圧ＶＣ２を分圧して昇圧専用の出力電圧ＶＣ１Ｂを生成する第２回路１０ｂとからなる。
【００１８】
第１回路１０ａは、図２に示すように、基準電圧源１０１と、オペアンプ１０２と、抵抗１０３と、可変抵抗１０４と、ボルテージフォロワ１０５と、出力端子１０６とから構成されている。また、第２回路１０ｂは、図２に示すように、可変抵抗１０７と、ボルテージフォロワ１０８と、出力端子１０９とから構成されている。
このような構成から定電圧回路１０では、オペアンプ１０２の出力電圧Ｖｒｅｆは、次の（９）式のようになる。
Ｖｒｅｆ＝｛（ＲＡ＋ＲＢ）／ＲＡ｝×Ｖｏ・・・（９）
【００１９】
ここで、Ｖｏは基準電圧源１０１の電圧値、ＲＡは抵抗１０３の抵抗値、ＲＢは可変抵抗１０４の全体の抵抗値である。
従って、可変抵抗１０４の可動端子を調整することにより、出力端子１０６からは所望の出力電圧ＶＣ２を取り出すことができる。ここで、出力電圧ＶＣ２の電圧値は、例えば２〔Ｖ〕である。
【００２０】
一方、出力端子１０６の出力電圧ＶＣ２は、可変抵抗１０７で分圧されてボルテージフォロワ１０８に入力されている。このため、可変抵抗１０７の可動端子を調整することにより、出力端子１０９から所望の出力電圧ＶＣＢ１を取り出すことができる。
ここで、出力電圧ＶＣＢ１の電圧値は、上記のように、昇降圧回路２０により出力電圧ＶＣ２を使用して降圧される出力電圧ＶＣ１の電圧値よりも所定値だけ大きな電圧値に設定する。例えば、出力電圧ＶＣ１が（５）式の関係にあれば、出力電圧ＶＣＢ１は、（１／２）×ＶＣ２よりも僅かに大きな値に設定される。
【００２１】
次に、図１に示す昇降圧回路２０の具体的な回路の概要について、図３を参照して説明する。
この昇降圧回路２０は、図３に示すように、定電圧回路１０からの出力電圧ＶＣ２、ＶＣ１Ｂが入力される入力端子２０１、２０２と、出力電圧ＶＣ１〜ＶＣ５を取り出すための出力端子２０６〜２１０と、電荷転送用のコンデンサＣＡ，ＣＢ，ＣＣ，ＣＤを外部接続するための外部端子２１１〜２１７とを備えている。
【００２２】
ここで、コンデンサＣＡは外部端子２１２、２１３間に接続され、コンデンサＣＢは外部端子２１１、２１４間に接続され、コンデンサＣＣは外部端子２１１、２１６間に接続され、コンデンサＣＤは外部端子２１５、２１７間に接続されている。また、出力コンデンサＣ１〜Ｃ５は、その各一端側が出力端子２０６〜２１０にそれぞれ接続され、その各他端側が共通電位ＶＳＳに接続されている。
【００２３】
昇降圧回路２０は、コンデンサＣＡ，ＣＢ，ＣＣ，ＣＤの充放電を行うために、図３に示すようにスイッチ素子である複数のＭＯＳトランジスタを含んでいる。そして、その各ＭＯＳトランジスタは、制御端子２０４に入力される昇圧動作信号ＢＳと、制御端子２０３、２０５に入力されるクロック信号ＦＡ、ＦＢとに基づいて生成されるオンオフ信号によりオンオフ制御されるようになっている。
【００２４】
クロック信号ＦＡ、ＦＢは、図４に示すような波形からなり、コンデンサＣＡ，ＣＢ，ＣＣ，ＣＤの充放電のタイミングが重なるのを防ぐために、クロック信号ＦＡの立ち下がりとクロック信号ＦＢの立ち下がりとの間に時間差を設けている。
また、昇降圧回路２０は、図３に示すようにレベル変換器２２１〜２２６を備え、これにより、クロック信号ＦＡ、ＦＢなどから得られ、複数のＭＯＳトランジスタの各ゲートに供給するオンオフ信号の振幅レベルを所定値に変換するようにしている。
【００２５】
次に、図３のような構成からなる昇降圧回路２０の昇降圧動作について、図４を参照して説明する。
図３に示す昇降圧回路２０では、図４に示すように、クロック信号ＦＡがＨレベルであってクロック信号ＦＢがＬレベルのタイミングＡと、クロック信号ＦＡがＬレベルであってクロック信号ＦＢがＨレベルのタイミングＢとの動作を繰り返す。
【００２６】
そして、そのタイミングＡとタイミングＢとで、コンデンサＣＡ，ＣＢ，ＣＣ，ＣＤと、出力端子２０６〜２１０および外部端子２１１、２１４との接続状態を変化させることにより昇降圧動作を実現し、出力端子２０６〜２１０に所望の出力電圧ＶＣ１〜ＶＣ５を出力する。
すなわち、図４に示すように、タイミングＡでは、コンデンサＣＡは出力端子２０６と外部端子２１１との間に接続され、コンデンサＣＢは外部端子２１４と外部端子２１１との間に接続され、コンデンサＣＣは出力端子２０７と外部端子２１１との間に接続され、コンデンサＣＤは出力端子２１０と出力端子２０８との間に接続される。
【００２７】
一方、タイミングＢでは、コンデンサＣＡは出力端子２０７と出力端子２０６との間に接続され、コンデンサＣＢは出力端子２０８と出力端子２０７との間に接続され、コンデンサＣＣは出力端子２０９と出力端子２０７との間に接続され、コンデンサＣＤは出力端子２０７と外部端子２１１との間に接続される。
この結果、出力端子２０６には、（５）式に示すような出力電圧ＶＣ１が出力され、出力端子２０７には出力電圧ＶＣ２が出力され、出力端子２０８〜２１０には、（６）〜（８）式で示すような出力電圧ＶＣ３、ＶＣ４，ＶＣ５がそれぞれ出力される。
【００２８】
以上のように、第１実施形態では、昇降圧回路２０が出力電圧ＶＣ３〜ＶＣ５を生成する昇圧動作時に、定電圧回路１０からの出力電圧ＶＣ２を降圧させた降圧電圧ＶＣ１を使用せずに、定電圧回路１０からの出力電圧ＶＣ１Ｂを使用し、しかも、ＶＣ１Ｂ＞ＶＣ１になるように設定するようにした。このため、第１実施形態によれば、液晶表示器の点灯時に、液晶駆動回路に所望の電圧が供給され、コントラストの低下を防止できる。
また、第１実施形態によれば、液晶表示器の表示パネルの負荷変動やサイズのアップに対しても有効である。
【００２９】
（第２実施形態）
本発明の電源装置の第２実施形態の構成について、図５を参照して説明する。
この第２実施形態に係る電源装置は、液晶表示器に適用されるものであり、図５に示すように、定電圧回路４０と、昇圧回路５０とを備え、液晶駆動回路６０を駆動するようになっている。
【００３０】
定電圧回路４０は、液晶駆動回路６０に供給する出力電圧ＶＣ１と、液晶駆動回路６０に供給するとともに昇圧回路５０に昇圧用として供給する出力電圧ＶＣ２と、昇圧回路５０に昇圧専用として供給する出力電圧ＶＣ１Ｂと、をそれぞれ生成して出力する回路である。
ここで、出力電圧ＶＣ１Ｂは、出力電圧ＶＣ１の電圧値よりも所定値だけ大きな電圧値に設定され、定電圧回路４０はそのような設定ができるように構成されている。
【００３１】
昇圧回路５０は、定電圧回路４０から出力される出力電圧ＶＣ１Ｂ，ＶＣ２に基づいて出力電圧ＶＣ３、ＶＣ４、ＶＣ５をそれぞれ生成する昇圧動作を行う回路であり、コンデンサの充放電を利用することにより昇圧動作を行う。
すなわち、昇圧回路５０は、定電圧回路４０から出力される出力電圧ＶＣ２と出力電圧ＶＣ１Ｂとを加算することにより出力電圧ＶＣ３を生成し、出力電圧ＶＣ２を２倍することにより出力電圧ＶＣ４を生成し、出力電圧ＶＣ２を２倍するとともに出力電圧ＶＣ１Ｂを加算することにより出力電圧ＶＣ５を生成している。これらの昇圧動作は、次の（１０）〜（１２）式のようになる。
ＶＣ３＝ＶＣ２＋ＶＣ１Ｂ        ・・・（１０）
ＶＣ４＝２×ＶＣ２              ・・・（１１）
ＶＣ５＝（２×ＶＣ２）＋ＶＣ１Ｂ・・・（１２）
【００３２】
液晶駆動回路６０は、図示しない液晶表示パネルに画像を表示させるための回路であり、定電圧回路４０からの出力電圧ＶＣ１，ＶＣ２と、昇圧回路５０からの出力電圧ＶＣ３、ＶＣ４、ＶＣ５とがそれぞれ供給されるようになっている。
【００３３】
次に、図５に示す昇圧回路５０の具体的な回路の概要について、図６を参照して説明する。
この昇圧回路５０は、図３に示すように、定電圧回路４０からの出力電圧ＶＣ１、ＶＣ２、ＶＣ１Ｂが入力される入力端子５００〜５０２と、出力電圧ＶＣ１〜ＶＣ５を取り出すための出力端子５０６〜５１０と、電荷転送用のコンデンサＣＢ，ＣＣ，ＣＤを外部接続するための外部端子５１１〜５１５とを備えている。
【００３４】
ここで、コンデンサＣＢは外部端子５１１、５１２間に接続され、コンデンサＣＣは外部端子５１１、５１４間に接続され、コンデンサＣＤは外部端子５１３、５１５間に接続されている。また、出力コンデンサＣ１〜Ｃ５は、その各一端側が出力端子５０６〜５１０にそれぞれ接続され、その各他端側が共通電位ＶＳＳに接続されている。
昇圧回路５０は、ＣＢ，ＣＣ，ＣＤの充放電を行うために、図６に示すようにスイッチ素子である複数のＭＯＳトランジスタを含んでいる。そして、その各ＭＯＳトランジスタは、制御端子５０４に入力される昇圧動作信号ＢＳと、制御端子５０３、５０５に入力されるクロック信号ＦＡ、ＦＢとに基づいて生成されるオンオフ信号によりオンオフ制御されるようになっている。
【００３５】
また、昇圧回路５０は、図６に示すようにレベル変換器５２１〜５２６を備え、これにより、クロック信号ＦＡ、ＦＢなどから得られ、複数のＭＯＳトランジスタの各ゲートに供給するオンオフ信号の振幅レベルを所定値に変換するようにしている。
次に、図６のような構成からなる昇圧回路５０の昇圧動作について、図７を参照して説明する。
【００３６】
図６に示す昇圧回路５０では、図７に示すように、クロック信号ＦＡがＨレベルであってクロック信号ＦＢがＬレベルのタイミングＡと、クロック信号ＦＡがＬレベルであってクロック信号ＦＢがＨレベルのタイミングＢとの動作を繰り返す。
そして、そのタイミングＡとタイミングＢとで、コンデンサＣＢ，ＣＣ，ＣＤと、出力端子５０６〜５１０および外部端子５１１、５１２との接続状態を変化させることにより昇圧動作を実現し、出力端子５０６〜５１０に出力電圧ＶＣ１、ＶＣ２および昇圧された出力電圧ＶＣ３〜ＶＣ５を出力する。
【００３７】
すなわち、図７に示すように、タイミングＡでは、コンデンサＣＢは外部端子５１２と外部端子５１１との間に接続され、コンデンサＣＣは出力端子５０７と外部端子５１１との間に接続され、コンデンサＣＤは出力端子５１０と出力端子５０８との間に接続される。一方、タイミングＢでは、コンデンサＣＢは出力端子５０８と出力端子５０７との間に接続され、コンデンサＣＣは出力端子５０９と出力端子５０７との間に接続され、コンデンサＣＤは出力端子５０７と外部端子５１１との間に接続される。
【００３８】
この結果、出力端子５０６、５０７には、出力電圧ＶＣ１、ＶＣ２が出力され、出力端子５０８〜５１０には、（１０）〜（１２）式で示すような昇圧された出力電圧ＶＣ３、ＶＣ４，ＶＣ５がそれぞれ出力される。
以上のように、第２実施形態では、昇圧回路５０が出力電圧ＶＣ３〜ＶＣ５を生成する昇圧動作時に、定電圧回路４０からの昇圧専用の出力電圧ＶＣ１Ｂを使用し、しかも、ＶＣ１Ｂ＞ＶＣ１になるように設定するようにした。このため、第２実施形態によれば、液晶表示器の点灯時に、液晶駆動回路に所望の電圧が供給され、コントラストの低下を防止できる。
【００３９】
また、第２実施形態によれば、液晶表示器の表示パネルの負荷変動やサイズのアップに対しても有効である。
【図面の簡単な説明】
【００４０】
【図１】本発明の第１実施形態の構成を示すブロック図である。
【図２】図１に示す定電圧回路の具体例を示す回路図である。
【図３】図１に示す昇降圧回路の具体例を示す回路図である。
【図４】その昇降圧回路の動作を説明する説明図である。
【図５】本発明の第２実施形態の構成を示すブロック図である。
【図６】図５に示す昇圧回路の具体例を示す回路図である。
【図７】その昇圧回路の動作を説明する説明図である。
【図８】従来装置の構成を示すブロック図である。
【符号の説明】
【００４１】
１０、４０・・・定電圧回路、２０・・・昇降圧回路、３０、６０・・・液晶駆動回路、５０・・・昇圧回路
【図１】
2006166581.tif 000003
【図２】
2006166581.tif 000004
【図３】
2006166581.tif 000005
【図４】
2006166581.tif 000006
【図５】
2006166581.tif 000007
【図６】
2006166581.tif 000008
【図７】
2006166581.tif 000009
【図８】
2006166581.tif 000010